(57)【特許請求の範囲】
【請求項１】
少なくとも受話器を有する第１筐体と、少なくとも送話器を有する第２筐体とが接合部によって結合されて構成され、
前記接合部によって、前記第１筐体と第２筐体が、該第１筐体と第２筐体を貫く支軸を支点として回転可能なように結合されており、
前記第１筐体または第２筐体が少なくとも１つの表示部を有し、該第１筐体または第２筐体の、少なくとも２つの異なる面にそれぞれキー操作部を有し、
前記接合部は、通常使用時には第１筐体または第２筐体のいずれかに収納されており、第１筐体または第２筐体のいずれかを回転する際に現れることを特徴とする携帯電話装置。
【請求項２】
前記第１筐体が少なくとも１つの表示部を備え、前記第２筐体が２つの対面それぞれにキー操作部を有することを特徴とする請求項１記載の携帯電話装置。
【請求項３】
前記第１筐体が２つの対面それぞれに表示部を備え、前記第２筐体が２つの対面それぞれにキー操作部を有することを特徴とする請求項１記載の携帯電話装置。
【請求項４】
前記第１筐体または第２筐体のキー操作部を備える面それぞれに、送話器を有することを特徴とする請求項１〜３記載の携帯電話装置。
【請求項５】
前記表示部が液晶ディスプレイであることを特徴とする請求項１〜４記載の携帯電話装置。
【請求項６】
前記キー操作部が、少なくとも、ローマ字表示、数字表示、ひらがな表示、またはカタカナ表示のキーを有することを特徴とする請求項１〜５記載の携帯電話装置。
【請求項７】
前記キー操作部が、少なくとも、「Ａ」から「Ｚ」までの２６個のローマ字表示のキーを有することを特徴とする請求項６記載の携帯電話装置。
【請求項８】
前記キー操作部のキーが液晶タッチパネルであることを特徴とする請求項１〜７記載の携帯電話装置。
【請求項９】
前記第１筐体と第２筐体とが折り畳み可能に接合された折り畳み構造を有し、且つ、前記折り畳み構造が開いた状態で前記第１筐体と第２筐体が、該第１筐体と第２筐体を貫く支軸を支点として回転可能なように結合されていることを特徴とする請求項１〜８記載の携帯電話装置。
【発明の詳細な説明】
【０００１】
【発明の属する技術分野】
本発明は携帯電話装置に関し、特に、接合部を中心に回転可動な２つの筐体を有する構造で、キー操作部を２つ以上有する携帯電話装置に関する。
【０００２】
【従来の技術】
従来の携帯電話装置は１つのキー操作部を有し、１つのキーに複数の機能を持たせ、電話応対や電子メール応対を１つのキー操作部で行なう。
【０００３】
【発明が解決しようとする課題】
しかしながら、キー操作部を１つしか有していない従来の携帯電話装置では、上記のように、キーの数が少ないため、１つのキーに多くの機能を持たせる必要があり、キーの機能が不明瞭であったり、電子メール作成においてはキーの操作が非常に煩雑であるという問題点があった。
【０００４】
例えば、従来の携帯電話装置では、特に電子メール作成において、「か行」の文字を入力する際には、「か」が表示されたキーのみを使用する。そして、「こ」を入力する際には、該キーを１回押すごとに「か」、「き」、「く」、「け」、「こ」と順に表示されるため、５回押して「こ」を入力する。また、撥音である「っ」を入力する際には、「た」が表示されたキーのみを使用し、該キーを１回押すごとに「た」、「ち」、「つ」、「て」、「と」、「っ」と順に表示されるため、６回押して「っ」を入力する。
【０００５】
そこで本発明の目的は、キー操作部のキーの絶対数を増やすことにより１つのキーの機能を減らし、操作が簡単で、且つ多機能な携帯電話装置を提供することである。
【０００６】
【課題を解決するための手段】
請求項１記載のように、本発明の携帯電話装置は、少なくとも受話器を有する第１筐体と、少なくとも送話器を有する第２筐体とが接合部によって結合されて構成され、前記接合部によって、前記第１筐体と第２筐体が、該第１筐体と第２筐体を貫く支軸を支点として回転可能なように結合されており、前記第１筐体または第２筐体が少なくとも１つの表示部を有し、該第１筐体または第２筐体の、少なくとも２つの異なる面にそれぞれキー操作部を有し、前記接合部は、通常使用時には第１筐体または第２筐体のいずれかに収納されており、第１筐体または第２筐体のいずれかを回転する際に現れることを特徴とする。
【０００７】
すなわち、本発明の携帯電話装置は、２つの筐体で構成され、且つ、前記２つの筐体の異なる４面のうち、少なくとも異なる２面がそれぞれキー操作部を有する。キー操作部を少なくとも２つ有するため、キーの絶対数を増やすことにより、多機能でありながらも、１つのキーの機能を減らせることが可能となり、キーの機能が明瞭となり操作が簡単になる。また、キー操作部を使用している際に、誤って筺体が回転してしまわないように、回転時にのみ接合部が現れる構造を採用することで誤操作防止を図っている。
【０００８】
より具体的な実施形態としては、請求項２記載のように、前記第１筐体が少なくとも１つの表示部を備え、前記第２筐体が２つの対面それぞれにキー操作部を有する実施形態や、請求項３記載のように、前記第１筐体が２つの対面それぞれに表示部を備え、前記第２筐体が２つの対面それぞれにキー操作部を有する実施形態が挙げられる。
【０００９】
例えば、請求項３記載の実施形態で、第１筐体と第２筐体が折り畳み可能な構造（請求項９記載）で閉じられた状態であっても、常に、少なくとも１つの表示部を見ることができ、電波の強弱の状態、電子メールの着信状況、留守番電話の録音状況、または日付、時刻、その他の設定、等の各種情報を得ることが可能となる。
【００１０】
請求項４記載のものは、前記第１筐体または第２筐体のキー操作部を備える面それぞれに、送話器を有することを特徴とする。すなわち、キー操作部を備える面に必ず送話器を設けることにより、いずれのキー操作部を使用していても電話応答が可能となる。
【００１１】
請求項５記載のものは、前記表示部が液晶ディスプレイであることを特徴とする。表示部を液晶ディスプレイにすることで、表示部のコスト削減が可能で、またカラー化も容易に実施することができる。
【００１２】
請求項６記載のものは、前記キー操作部が、少なくとも、ローマ字表示、数字表示、ひらがな表示、またはカタカナ表示のキーを有することを特徴とする。例えば、少なくとも２つのキー操作部のうち、１つのキー操作部のキーをローマ字表示、他方のキー操作部を数字表示にすることにより、電子メール応対用と電話応対用のキー操作部を設けることが可能となる。
【００１３】
上記ローマ字表示のキーは、例えば、請求項７記載のように、少なくとも、「Ａ」から「Ｚ」までの２６個のローマ字表示のキーを有することで、一般的なワープロ操作を可能にして、主に電子メール作成機能を持たせることにより、キー操作が従来に比べて著しく簡素化され、また多機能にメール文書を作成することができる。
【００１４】
請求項８記載のものは、前記キー操作部のキーが液晶タッチパネルであることを特徴とする。例えば、使用時にだけタッチパネルキーを表示させると、表示部とキー操作部を兼ね備えることが可能となる。すなわち、少なくとも２つのキー操作部を表示部と兼用することで、携帯電話装置全体で、最大４つの表示部を有することも可能となり表示範囲が広がる。
【００１５】
請求項９記載のものは、前記第１筐体と第２筐体とが折り畳み可能に接合された折り畳み構造を有し、且つ、前記折り畳み構造が開いた状態で前記第１筐体と第２筐体が、該第１筐体と第２筐体を貫く支軸を支点として回転可能なように結合されていることを特徴とする。すなわち、従来の携帯電話装置の折り畳み機能を本発明の携帯電話装置に付加させることにより、携帯電話装置の小型化をはかることが可能となる。
【００１６】
【発明の実施形態】
次に、図面を使用して本発明の実施形態について説明する。なお、以下の実施形態は本発明を具体化した一例であって、本発明の技術的範囲を限定するものではない。
【００１７】
図１に、本発明の携帯電話装置の裏及び表から見た概略平面図を示した。第１筐体［１］と第２筐体［２］は接合部［３］により回転可動なように結合されている。更には、ヒンジ部［４］により折り畳み可能なように連結されている。例えば、接合部［３］は、通常、第２筐体［２］に収納されていて、第１筐体［１］を図１上方向に引くことにより出現する。
【００１８】
第１筐体［１］は伸縮可能なアンテナ［５］、受話器［６］を、第２筐体［２］は送話器［７］を表裏に備えている。送話器［７］は表裏に備えられているので、第２筐体［２］の表裏面のどちらからでも通話が可能である。
【００１９】
第２筐体［２］表（おもて）面には、主電源スイッチ［１２］、キー操作無効スイッチ［１３］、スクロールスイッチ［１７］が備えられている。誤操作防止のため、第２筐体［２］表（おもて）面の各スイッチ及びキー操作部は、主電源スイッチ［１２］がＯＮの状態であっても、キー操作無効スイッチ［１３］がＯＮである場合、第１筐体［１］と第２筐体［２］が開いた状態でしか操作可能な状態にならないように制御されている。
【００２０】
また、第１筐体表（おもて）面には小型の液晶ディスプレイ［９］を備えており、該液晶ディスプレイ［９］には、日付、時刻、電波受信状況、録音メッセージ（留守番電話の伝言、マナーモード設定時の伝言）や電子メールの受取情報、アラーム設定、バイブレーション設定、マナーモード設定等の各種設定が表示されるようになっている。
【００２１】
＜電子メール作成、送信＞
第１筐体［１］の裏面には大型の液晶ディスプレイ［８］を備えており、主電源スイッチ［１２］がＯＮであれば、第１筐体［１］と第２筐体［２］を開けた状態そのままで、電子メールに関するメニュー画面が表示されるようになっている。そこで、カーソル移動キー［２２］を使用して、メニュー画面の「新規メール作成」を選択し、確定キー［２３］を押して新規メール作成画面を表示させて送信メールを入力する。
【００２２】
第２筐体［２］裏面のキー操作部には一般のワープロと同じ機能が与えられており、「Ａ」から「Ｚ」までの２６個のローマ字表記のキー［１０］、数字／記号表示用キー［２０］、消去キー［２１］、カーソル移動キー［２２］、確定キー［２３］、スペースキー［２４］、漢字変換キー［２５］、全角及び半角カタカナ変換キー［２６］、全角／半角英数キー［２７］、シフトキー［２８］を備える。
【００２３】
電子メールを作成した後、カーソル移動キー［２２］、確定キー［２３］により前記メニュー画面の「電子メール確定」を選択確定し、続いて該メニュー画面の「電子メール送信」を選択確定して送信する。なお、送信先はアドレス入力するか、またはメニュー画面の「アドレス帳」からも検索することもできる。
【００２４】
＜電話応対＞
次に、通常の電話機能使用の際には、第２筐体［２］を回転させて第２筐体［２］表（おもて）面のキー操作部を使用する。数字表示キー［１１］で電話番号を液晶ディスプレイ［８］に表示させ、電話スイッチ［１４］を押すか、スクロールスイッチ［１７］を使用して、液晶ディスプレイ［８］のメニュー画面から「アドレス帳」を選択確定し電話をかけることができる。
【００２５】
なお、第２筐体［２］を回転させた状態で、液晶ディスプレイ［８］のメニュー画面に表示される内容は、上記の電子メールのメニュー画面とは異なり、アドレス帳、通話料金、通話時間、着信音設定、等の電話機能関係が主となる。
【００２６】
通話後、電話スイッチ［１５］を押すか、第２筐体［２］を回転させることにより電話を切ることができる。また、電話がかかってきた際には、第１筐体［１］と第２筐体［２］を開の状態にすることで電話を受けることができる。
【００２７】
従来の携帯電話装置のように、録音スイッチ［１６］、クリアースイッチ［１８］、マナーモードスイッチ［１９］を備える。
【００２８】
以上のように、上記例の携帯電話装置は、従来の電話機としての機能を全く損なうことなく、電子メール機能のための操作キーを大幅に増加させ、ワープロ操作を可能にすることにより、極めて簡便に、且つ多機能にメール文書を作成することができる。
【００２９】
また以上は、キー操作部を２つ有し、操作キーの数を増加させることを一実施例として述べてきたが、他にも、例えば、１つの筐体にＣＣＤ（ｃｈａｒｇｅ−ｃｏｕｐｌｅｄ  ｄｅｖｉｃｅ）カメラを内蔵させると、本発明の携帯電話装置は２つの筐体が回転可能なように結合されているため、従来のＣＣＤカメラ内蔵の携帯電話装置に比較して撮影角度や撮影範囲を広げることが可能である。
【００３０】
【発明の効果】
本発明の携帯電話装置は、２つの筐体から構成され、該２つの筐体が該第１筐体と第２筐体を貫く支軸を支点として回転可能にすることで、例えば、第１筐体が１つの表示部を有し、第２筐体の対面にそれぞれキー操作部を設け、該２つのキー操作部を設けた第２筐体を回転させることにより、第１筐体の１つの表示部に対してどちらのキー操作部も使用可能となる。そして、キーの絶対数を増やすことにより、多機能でありながらも、１つのキーの機能を減らせることが可能となり、キーの機能が明瞭となり操作が簡単になる。また、キー操作部を使用している際に、誤って筺体が回転してしまわないように、回転時にのみ接合部が現れる構造を採用することで誤操作防止を図っている。
【００３１】
【図面の簡単な説明】
【図１】本発明の一実施例の携帯電話装置の、裏面及び表面の概略平面を示す図である。
【００３２】
【符号の説明】
１：第１筐体、２：第２筐体、３：接合部、４：ヒンジ部、５：アンテナ、６：受話器、７：送話器、８：大型液晶ディスプレイ（第１筐体裏面）、９：小型液晶ディスプレイ（第１筐体おもて面）、１０：ローマ字表記キー、１１：数字表示キー、１２：主電源スイッチ、１３：キー操作無効スイッチ、１４：電話スイッチ（ＯＮ）、１５：電話スイッチ（ＯＦＦ）、１６：録音スイッチ、１７：スクロールスイッチ、１８：クリアースイッチ、１９：マナーモードスイッチ、２０：数字／記号表示用キー、２１：消去キー、２２：カーソル移動キー、２３：確定キー、２４：スペースキー、２５：漢字変換キー、２６：全角及び半角カタカナ変換キー、２７：全角／半角英数キー、２８：シフトキー
【図１】
0003827573.tif 000002